(57)【要約】【課題】本考案は、本紙巻き取りと見当紙巻き取りを新しい仕事に切り替えるたびに交換取り付けをすることを不要にするための低価格かつ簡便な給紙装置と、簡単な手動若しくは自動操作で容易に本紙、見当紙の切り替えができる紙継ぎ装置と、の組み合わせを提供する。【解決手段】本考案の紙継ぎ装置５０を備える給紙装置１００は、輪転印刷機に供給される本紙６と見当合わせ用の見当紙５とを接続するための装置であって、筒状の軸７０に巻きつけられた見当紙５を載置するための上下に昇降可能な昇降手段４７を有する台座４７ａと、軸７０の端部と嵌合して見当紙５を固定するための嵌合手段３９ａと、見当紙５をガイドするガイド手段４、４ａ、７と、本紙６又は見当紙５を切断する切断手段２８と、切断された本紙６又は見当紙５の端部に見当紙５又は本紙６を圧着する圧着手段３１、３１ａと、圧着手段３１、３１ａに見当紙５を供給する見当紙供給手段３４ｚ、３５ｚと、圧着手段３１、３１ａに本紙６を供給する本紙供給手段３４ｙ、３５ｙと、を具備する。【選択図】　　　図１
0003098110.tif 000002
【実用新案登録請求の範囲】
【請求項１】
輪転印刷機に供給される本紙と見当合わせ用の見当紙とを接続するための紙継ぎ装置であって、
前記紙継ぎ装置は、
前記本紙又は見当紙を切断する切断手段と、
前記切断された本紙又は見当紙の端部に前記見当紙又は本紙を圧着する圧着手段と、
前記圧着手段に前記本紙を供給する本紙供給手段と、
前記圧着手段に前記見当紙を供給する見当紙供給手段と、
を具備し、
前記本紙と見当紙、または前記見当紙と本紙とを接続することを特徴とする紙継ぎ装置。
【請求項２】
輪転印刷機に供給される本紙と見当合わせ用の見当紙とを接続するための紙継ぎ装置に見当紙を供給するための給紙装置であって、
前記見当紙を固定するための固定手段を具備し、
前記見当紙は、筒状の軸に巻きつけられ、
前記固定手段は、上下に昇降可能な昇降手段を有する前記見当紙を載置するための台座と、前記軸の端部と嵌合するための嵌合手段と、を備えていることを特徴とする紙継ぎ装置に見当紙を供給する給紙装置。
【請求項３】
輪転印刷機に供給される本紙と見当合わせ用の見当紙とを接続するための紙継ぎ装置を有する給紙装置であって、
筒状の軸に巻きつけられた見当紙を載置するための上下に昇降可能な昇降手段を有する台座と、
前記軸の端部と嵌合して前記見当紙を固定するための嵌合手段と、
前記見当紙をガイドするガイド手段と、
前記本紙又は見当紙を切断する切断手段と、
前記切断された本紙又は見当紙の端部に前記見当紙又は本紙を圧着する圧着手段と、
前記圧着手段に前記ガイド手段によりガイドされる見当紙を供給する見当紙供給手段と、
前記圧着手段に前記本紙を供給する本紙供給手段と、
を具備することを特徴とする紙継ぎ装置を備える給紙装置。
【考案の詳細な説明】
【０００１】
【考案の属する技術分野】
本考案は印刷分野特に巻き取り用紙を使用する輪転印刷分野に関する。
【０００２】
【従来の技術】
通常、巻き取り用紙を使用するオフセット、グラビヤ、フレキリ（活版）等の多色輪転印刷において印刷スタート時に絵柄の見当合わせと色調合わせ、さらに折見当等の合わせ作業は印刷運転をしながら行っているが、この間の印刷物は損紙として廃棄されている。
【０００３】
また、輪転印刷機に特殊な折加工機が直結されている印刷機が存在する。
【０００４】
【考案が解決しようとする課題】
上記印刷機は、印刷見当、色調合わせが良くても、この特殊折の折線位置の調整やパーフォレーションの位置合わせを本機を運転印刷しながら調整するため、無駄な損紙を大量に発生させ、許容予備を超過しその分の用紙を印刷会社の負担で追加購入をせざるを褐ないがこの費用が印刷会社の利益を圧迫し、採算上深刻な問題となっている。
【０００５】
そこで、従来、印刷会社で必然的に発生している端数の余剰巻き取り用紙を見当合わせ用（見当紙）として使用を励行しているが印刷スタート毎に本機のリールスタンドに装着し、見当、色調合わせが完了するたびに本機リールスタンドから取り外し、本紙と付け替える煩雑さがある上、その間機械を停止させてしまう問題があり何れの印刷会社でも見当紙の使用を実行させることが困難であり、結局、本紙で前述の見当合わせを行う結果、予備超過イコール追加購入という図式を解決できないと言う問題を抱えている。
【０００６】
そこでこの交換作業の煩雑さを解決するには先ず、本紙巻き取りと見当紙巻き取りを新しい仕事に切り替えるたびに交換取り付けをすることを不要にするための低価格かつ簡便な給紙装置と、簡単な手動若しくは自動操作で容易に本紙、見当紙の切り替えができる紙継ぎ装置と、の組み合わせを提供することにより、作業者は必ず見当紙を使用し、前述の問題を解決、採算的にも収益改善に寄与するのみならず、資源の有効利用も図れ地球環境保全の一助たり得ることを目的とする。
【０００７】
【課題を解決するための手段】
以下、本考案について説明する。なお、本考案の理解を容易にするために添付図面の参照符号を括弧書きにて付記するが、それにより本考案が図示の形態に限定されるものではない。
【０００８】
本考案の紙継ぎ装置は、輪転印刷機に供給される本紙（６）と見当合わせ用の見当紙（５）とを接続するための紙継ぎ装置（５０）であって、前記紙継ぎ装置は、前記本紙又は見当紙を切断する切断手段（２８）と、前記切断された本紙又は見当紙の端部に前記見当紙又は本紙を圧着する圧着手段（３１、３１ａ）と、前記圧着手段に前記本紙を供給する本紙供給手段（３４ｙ、３５ｙ）と、前記圧着手段に前記見当紙を供給する見当紙供給手段（３４ｚ、３５ｚ）と、を具備し、前記本紙と見当紙、または前記見当紙と本紙とを接続することを特徴とする。
【０００９】
このようにすれば、本紙と見当紙を容易且つ自由に接続することができる。
【００１０】
また、本考案の紙継ぎ装置に見当紙を供給する給紙装置は、輪転印刷機に供給される本紙と見当合わせ用の見当紙とを接続するための紙継ぎ装置に見当紙を供給するための給紙装置（１００）であって、前記見当紙を固定するための固定手段を具備し、前記見当紙は、筒状の軸（７０）に巻きつけられ、前記固定手段は、見当紙を載置するための台座（４７ａ）と前記台座を上下に昇降可能な昇降装置（４７）を有するリフト（６５）と、前記軸の端部と嵌合するための嵌合手段（３９ａ、３９ｂ、）と、を備えていることを特徴とする。
【００１１】
このようにすれば、容易に紙継ぎ装置に見当紙を供給することができる。
【００１２】
さらに、本考案の紙継ぎ装置を有する給紙装置は、輪転印刷機に供給される本紙と見当合わせ用の見当紙とを接続するための紙継ぎ装置を有する給紙装置であって、筒状の軸に巻きつけられた見当紙を載置するための上下に昇降可能な昇降手段を有する台座と、前記軸の端部と嵌合して前記見当紙を固定するための嵌合手段と、前記見当紙をガイドするガイド手段（７、４、４ａ）と、前記本紙又は見当紙を切断する切断手段と、前記切断された本紙又は見当紙の端部に前記見当紙又は本紙を圧着する圧着手段と、前記圧着手段に前記ガイド手段によりガイドされる見当紙を供給する見当紙供給手段と、前記圧着手段に前記本紙を供給する本紙供給手段と、を具備することを特徴とする。
【００１３】
このようにすれば、紙継ぎ装置に容易に見当紙を供給することができるとともに、供給された見当紙と本紙とを容易且つ自由に接続することができる。
【００１４】
【考案の実施の形態】
以下、紙継ぎ装置を備える給紙装置について詳述する。
【００１５】
図１は紙継ぎ装置を備える給紙装置の概要図、図２は給紙装置を示し、図２（ａ）は平面図、図２（ｂ）は正面図、図２（ｃ）は図２（ｂ）のＡ拡大図、図３はチャッキングユニットの内部構造図である。
【００１６】
まず、紙継ぎ装置に見当紙を供給する給紙装置の構成について図２を用いて説明する。この給紙装置１００は、輪転印刷機から供給される本紙６と見当合わせ用の見当紙５とを接続するための紙継ぎ装置５０に見当紙５を供給するための装置である。
【００１７】
この給紙装置１００は、底体６０の左右に所定の高さを有して、見当合わせようの見当紙５が巻き付けられたロール５ａ（以下、「ロール」と称する。）を固定するためのチャッキングユニット４０ａ、４０ｂを備えている。各チャッキングユニット４０ａ、４０ｂには、先端にチャックコーン３９ａ、３９ｂを有する軸６２ａ、６２ｂが所定の高さで水平方向に設けられている。図上右側のチャッキングユニット４０ａに設けられた軸６２ａは固定されており、左側のチャッキングユニット４０ｂに設けられた軸６２ｂはシリンダ４４によって伸縮自在である。この両方のチャックコーン３９ａ、３９ｂは対向して備えられている。また、チャックコーン３９ａ、３９ｂは先端が細くなるようにテーパ加工されている。また、両方のチャッキングユニット３９ａ、３９ｂの間には、ロール５ａを載置するための上下に伸縮自在の昇降装置４７を有する台座４７ａ（以下、「リフタ６５」と称する。）を備える。また、底板６０の右側に設けられたチャッキングユニット４０ａは左右方向に移動可能であり、このチャッキングユニット４０ａには位置調整用のインジケータ６７を備えている。このインジケータ６７には位置合わせ用のメモリ６７ａを有する。また、このチャッキングユニット４０ａはインジケータ６７に基づいてチャッキングユニット４０ａの位置決めをするためのシリンダ４５を備える。なお、リフタ６５とチャッキングユニット４０ａ、４０ｂに設けられる軸６２ａ、６２ｂの先端に備えられている特にチャックコーン３９ａ、３９ｂとは、見当紙を固定するための固定手段として機能する。また、チャックコーン３９ａ、３９ｂは見当紙５が巻き付けられたロール５ａの軸の端部と嵌合する嵌合手段として機能する。
【００１８】
また、ロール５ａは、筒状の軸７０の外周に見当合わせ用の見当紙５が巻きつけられている。また、軸７０の端部には、チャッキングユニット４０ａ、４０ｂに設けられたチャックコーン３９ａ、３９ｂと同形状のチャックコーン７０ａ、７０ｂが設けられる。また、右側のチャッキングユニット４０ａの内部には、図３に示すように、軸６２ａと接続されるブレーキを有するモータ４１がベルト４６を介して設けられている。このモータ４１により、軸６２ａを回転させるとともに、ロール５ａを回転させる。
【００１９】
また、給紙装置１００は、見当合わせ用の見当紙５を後述する輪転印刷機において印刷される本紙６と接続するための紙継ぎ装置５０に供給するための複数のガイドローラー７、７、４ａ、及び所定の角度ガイドする見当紙５を曲げるためのターニングバー４を備える。なお、ガイドローラー４ａ、７とターニングバー４とは見当紙５を紙継ぎ装置にガイドするためのガイド手段として機能する。
【００２０】
次に紙継ぎ装置の構成について図１、図４を用いて説明する。
【００２１】
図４は紙継ぎ装置の要部拡大図である。この紙継ぎ装置５０は、給紙装置１００から供給される見当紙６と輪転印刷機から供給される本紙５とを接続するための装置である。
【００２２】
この紙継ぎ装置５０は、給紙装置１００のガイドローラー７、ターニングバー４、及びリターンガイドローラー４ａを介して接続される見当紙５を供給するための紙端ホルダー３４ｚを有するガイドローラー３５ｚと、輪転印刷機から複数のガイドローラー２、２、…、２を介して接続される本紙６を供給するための紙押えクランプ３４ｙを有するガイドローラー３５ｙと、供給される見当紙５又は本紙６をガイドする複数のガイドローラー１１、１１と、供給される見当紙５又は本紙６を切断するためのナイフ２８と、見当紙５と本紙６とを接続するためのニップバー３１、３１ａと、接続された見当紙５及び本紙６を輪転印刷機の印刷ユニットにガイドするための紙押えクランプ３４を有するガイドローラー１１と、を備えている。また、ニップバー３１、３１ａは、見当紙５又は本紙６を吸引するためのブロアーを備えている。また、ニップバー３１、３１ａは見当紙５又は本紙６が通過する経路の上下に設けられる。また、ニップバー３１、３１ａの下流側のガイドローラー１１、１１の間には本紙６又は見当紙５を固定するためのクランプ部（以下、「クランプ」と称する。）２０を備える。クランプ２０は、紙押え２０ａと押え体２０ｂとを備える。また、ガイドローラー１１と上ニップバー３１とナイフ２８とクランプ２０は左方向に９０度回動可能に設けられる。なお、ナイフ２８は、本紙や見当紙を切断する切断手段として機能し、ニップバー３１、３１ａは本紙と見当紙、又は見当紙と本紙とを圧着する圧着手段として機能する。また、紙端ホルダ３４ｚとガイドローラー３５ｚは見当紙を供給する見当紙供給手段として機能し、紙押えクランプ３４ｙとガイドローラー３５ｙ本紙を紙継ぎ装置５０内に供給する本紙供給手段として機能する。
【００２３】
次に、紙継ぎ装置を備える給紙装置の動作について図１、及び図５〜図１１を用いて説明する。図５は本紙を紙継ぎ装置に供給した状態図、図６は本紙を切断した状態図、図７は本紙を下ニップバーで吸着した状態図、図８は見当紙を紙継ぎ装置に供給した状態図、図９は見当紙を上ニップバーで吸着した状態図、図１０は本紙と見当紙とを接続した状態図、図１１は本紙と見当紙とを接続したものを印刷ユニットに供給する状態図である。
【００２４】
先ず、図１に示すように、本紙６と同一巾の見当紙５が巻き付けられたロール５ａをリフタ６５上に載置し、ロール軸７０がチャッキングユニット４０ａ、４０ｂの軸６２ａ、６２ｂと同位置になるまでリフタ６５を上昇させる。
【００２５】
次に、ロール５ａに巻き付けられた見当紙５の紙巾に合わせて紙巾インジケータ４８の紙巾メモリに合わせて図上右側のチャッキングユニット４０ａをシリンダ４５を作動させて移動し、位置決めを行いロック固定する。
【００２６】
次に、シリンダ４４を作動させて図上左側のチャッキングユニット４０ｂに設けられる軸６２ｂを対向する右側のチャッキングユニット４０ａの方向に伸ばし、それぞれのチャッキングユニット４０ａ、４０ｂに設けられる軸６２ａ、６２ｂの先端に備えられるチャックコーン３９ａ、３９ｂをロール７０のチャックコーン７０ａ、７０ｂに嵌合させる。チャックコーン３９ａ、３９ｂ、７０ａ、７０ｂはテーパ加工がしてあるためチャックコーン７０ａ、７０ｂとチャックコーン３９ａ、３９ｂとは密着させることができる。このようにすれば、ロール５ａがスリップして空回りしないため見当紙５に常にテンションを与えておくことができる。
【００２７】
次に、見当紙５を複数のガイドローラー１１を経て印刷機に対し水平方向で４５度の角度を持つターニングバー４を通して本紙リールスタンド側に９０度曲げリターンガイドローラー４ａに巻き付け紙継ぎ装置５０にガイドする。見当紙５の先端は紙継ぎ装置５０のガイドーラ３５ｚにガイドされ紙端ホルダ３４ｚにより一時的に固定される。
【００２８】
また、本紙６は輪転印刷機から複数のガイドローラー２を介して紙継ぎ装置５０に供給される。本紙６の先端は、紙継ぎ装置５０のガイドローラー３５ｙにガイドされ紙押えクランプ３４ｙによりクランプされて待機する。
【００２９】
紙継ぎ装置５０に連絡した本紙６と見当紙５のうち、図５に示すように、まず本紙６を、ガイドローラー１１、１１、３５ｘを介して紙継ぎ装置５０の内部を通過させ、輪転印刷機の印刷ユニットへ供給する。
【００３０】
次に、本紙６の所定部において見当紙５を接続する場合は、図６に示すように、まず、ガイドローラー３５ｘの紙端ホルダー３４ｘを作動させ、本紙６がずり落ちぬようしつかりとホ−ルドし、次に上ニップバー３１と下ニップバー３１ａで本紙６を固定し、特に下ニップバー３１ａでは本紙６をバキューム吸着して固定する。さらにクランプ２０で本紙６を押さえ固定する。これら一連の動作は本紙６を切断した際、紙端が順方向にずり落ちを防止する目的である。このように切断しようとする本紙の両サイドの固定が完了したならばナイフ２８を下降させ本紙６を切断する。
【００３１】
次に、上ニップバー３１を上昇させ、本紙６の印刷機側紙端を下ニップバー２３にバキューム吸着する。次に、一旦、本紙６をガイドローラー３５ｙの紙押えクランプ３４ｙによってホールドする。
【００３２】
次に、図７、図８に示すように、ガイドローラー１１、１１と上ニップバー３１とナイフ２８とクランプ２０を右方向に９０度回動させるとともに見当紙５をガイドローラー１１を介して紙継ぎ装置５０の内部に供給する。その際、見当紙５の先端を上ニップバー３１によりバキューム吸着して固定する。その際、見当紙５の端部近傍に接着防止テープが剥がされた状態で両面接着テープが貼られる（図示なし）。
【００３３】
次に、図９に示すように、上ニップバー３１により見当紙５の先端を吸着したまま、ガイドローラー１１と上ニップバー３１とナイフ２８とクランプ２０を右方向に９０度回動させる（元に戻す）。
【００３４】
次に、図１０に示すように、本紙６の端部を吸着している下ニップパー２３が見当紙５の先端をホールドしている上ニップバー３１に対して上昇、圧著することにより本紙６と見当紙５を接続する。その際、本紙６のリールスタンド側紙端はガイドローラー３５ｙに押えクランプ３４ｙによってしっかりと固定されている。それは作業が切り替わって本紙６も別の本紙に切り替わった時、本機リールスタンドに別の本紙を取り付けその紙端と作業完了した旧本紙の巻き取りから旧本紙６のウエッブを切り離しその紙端を両面テープで接合すれば、新たに紙継ぎユニットまでの紙通しをすることなく別の巻き取りと接続するためである。即ち、旧本紙６の紙端をガイドローラー３５ｙと押えクランプ３４ｙで固定することによりリールスタンドで本紙巻き取りから切り離した紙端を別の新リールと接続することで新本紙の紙通しガイドの役目をさせるためである。
【００３５】
次に、ガイドローラー３５ｘの押え機構３４ｘを開放して印刷を開始すると以後は見当紙５で見当、色調などの調整が行われる。その際、調整に使用した見当紙５はすべて損紙として廃棄される。この調整作業が完了したならば、直ちに逆の手順で見当紙から本紙への切り替え接続を行う。
【００３６】
以上に説明したように、本考案の紙継ぎ装置５０を備える給紙装置１００は、輪転印刷機に供給される本紙６と見当合わせ用の見当紙５とを接続するための紙継ぎ装置を有する給紙装置であって、筒状の軸７０に巻きつけられた見当紙５を載置するための上下に昇降可能な昇降装置４７を有する台座４７ａと、前記軸７０の端部と嵌合して前記見当紙５を固定するためのチャックコーン３９ａ、３９ｂと、前記見当紙５をガイドするガイド手段としてのガイドローラー４ａ、７及びターニングバー４と、前記本紙６又は見当紙５を切断するナイフ２８と、前記切断された本紙６又は見当紙５の端部に前記見当紙５又は本紙６を圧着する圧着手段としての上ニップバー３１と下ニップバー３１ａと、前記圧着手段に前記ガイド手段によりガイドされた見当紙６を供給するガイドローラー３５ｚ及び紙端ホルダー３４ｚと、前記圧着手段に前記本紙を供給するガイドローラー３５ｙと紙押えホルダー３４ｙと、を具備している。紙継ぎ装置５０と給紙装置１００とは別体として機能するようにしてもよい。具体的には、紙継ぎ装置５０は、輪転印刷機に供給される本紙６と見当合わせ用の見当紙５とを接続するための紙継ぎ装置であって、前記本紙６又は見当紙５を切断するナイフ２８と、前記切断された本紙６又は見当紙５の端部に前記見当紙５又は本紙６を圧着する圧着手段としての上ニップバー３１と下ニップバー３１ａと、前記圧着手段に前記ガイド手段によりガイドされる見当紙６を供給するガイドローラー３５ｚ及び紙端ホルダー３４ｚと、前記圧着手段に前記本紙を供給するガイドローラー３５ｙと紙押えホルダー３４ｙと、を具備している。また、紙継ぎ装置に見当紙を供給するための給紙装置１００は、輪転印刷機に供給される本紙６と見当合わせ用の見当紙５とを接続するための紙継ぎ装置に見当紙を供給するための給紙装置であって、筒状の軸７０に巻きつけられた見当紙５を載置するための上下に昇降可能な昇降装置４７を有する台座４７ａと、前記軸７０の端部と嵌合して前記見当紙５を固定するためのチャックコーン３９ａ、３９ｂと、を具備している。
【００３７】
このようにすれば、紙継ぎ装置に容易に見当紙を供給することができるとともに、供給された見当紙と本紙とを容易且つ自由に接続することができる。
【００３８】
以上の如く、廃棄されるべき半端な巻き取りを見当紙として再利用し、見当合わせ、色調整に使用された損紙はリサイクル故紙として再生され資源の有効利用の効果は多大であるばかりでなく、本紙の印刷予備超過による印刷会社自身の補填費用の著しい軽減となり企業の収益改善に対する効果も大きい。また、給紙装置のテンション機構は本機のインフィードテンション機構を紙通しの経路を変えず使用するため見当紙用リールスタンドとしてはインフィードテンション機構をもつ必要はなく、信号のみを受けブレーキモータ４１によってチャックコーン３９ａの回転を制御することで給紙テンションをコントロールすることができる。従って、通常の給紙装置の１／３以下の極めて低価格で製造することができる
【図面の簡単な説明】
【図１】紙継ぎ装置を備える給紙装置の概要図である。
【図２】給紙装置を示し、図２（ａ）は平面図、図２（ｂ）は正面図、図２（ｃ）は図２（ｂ）のＡ拡大図である。
【図３】図３はチャッキングユニットの内部構造図である。
【図４】紙継ぎ装置の要部拡大図である。
【図５】本紙を紙継ぎ装置に供給した状態図である。
【図６】本紙を切断した状態図である。
【図７】本紙を下ニップバーで吸着した状態図である。
【図８】見当紙を紙継ぎ装置に供給した状態図である。
【図９】見当紙を上ニップバーで吸着した状態図である。
【図１０】本紙と見当紙とを接続した状態図である。
【図１１】本紙と見当紙とを接続したものを印刷ユニットに供給する状態図である。
【符号の説明】
４　ターニングバー
４ａ　ガイドローラー
５　見当紙
６　本紙
７　ガイドローラー
２８　切断手段（ナイフ）
３１　圧着手段（上ニップバー）
３１ａ圧着手段（下ニップバー）
３４ｙ　本紙供給手段（紙押えクランプ）
３４ｚ　見当紙供給手段（紙端ホルダー）
３５ｙ　本紙供給手段（ガイドローラー）
３５ｚ　見当紙供給手段（ガイドローラー）
３９ａ　嵌合手段（チャックコーン）
３９ｂ　嵌合手段（チャックコーン）
４７　昇降装置
４７ａ　台座
５０　紙継ぎ装置
６５　リフト
７０　軸
１００　給紙装置
【図１】
0003098110.tif 000003
【図２】
0003098110.tif 000004
【図３】
0003098110.tif 000005
【図４】
0003098110.tif 000006
【図５】
0003098110.tif 000007
【図６】
0003098110.tif 000008
【図７】
0003098110.tif 000009
【図８】
0003098110.tif 000010
【図９】
0003098110.tif 000011
【図１０】
0003098110.tif 000012
【図１１】
0003098110.tif 000013